(57)【要約】【課題】  長尺屑やブルームや鋼塊などを含む製鋼時の還元屑を屋外において切断する際に発生する粉塵を集塵する集塵フードおよび集塵装置まで移送する集塵ダクトを提供することである。【解決手段】  屋外の還元屑置場６で還元屑を切断する際の作業スペース５を覆う集塵フード１と、クレーンで吊って移動可能とした集塵フード上面３に形成したクレーン吊具２と、集塵フード上面３の中央部に一端を取り付け他端を外部の集塵装置に取り付けて、該一端から該他端まで伸縮及び移動自在とした伸縮移動集塵ダクト４からなることを特徴とする還元屑の切断時に発生する粉塵を吸収するための移動式の集塵フードと集塵ダクト。【選択図】      図１
2011021800.tif 000002
【特許請求の範囲】
【請求項１】
屋外の還元屑置場で還元屑を切断する際の作業スペースを覆う集塵フードと、クレーンで吊って移動可能とした集塵フード上面に形成したクレーン吊具と、集塵フード上面の中央部に一端を取り付け他端を外部の集塵装置に取り付けて、該一端から該他端まで伸縮及び移動自在とした伸縮移動集塵ダクトからなることを特徴とする還元屑の切断時に発生する粉塵を吸収するための移動式の集塵フードと集塵ダクト。
【発明の詳細な説明】
【技術分野】
【０００１】
この発明は、製鋼工場などで発生する長尺屑や、ブルームや、鋼塊などの還元屑を含む鋼材屑（以下、総称して「還元屑」という。）を、電気炉などで再溶解するために、電気炉で挿入できる程度の大きさにガス切断する際に発生する粉塵を集塵する集塵フードと集塵ダクト、特に集塵装置において屋外の任意の場所に移動して設置できる集塵フードと集塵ダクトに関する。
【背景技術】
【０００２】
製鋼工場などの製造工程内で発生する長尺屑や、ブルームや、鋼塊などの還元屑は、通常は屋外にある還元屑置場に並べて置かれていた。これらの還元屑を製鋼原料として電気炉で再溶解する場合、電気炉に装入できる程度の、例えば長さ１．５ｍ程度の大きさまで鋼材屑を切断する必要がある。
【０００３】
ところで、この還元屑を切断する切断方法には、次の２通りの方法がある。第１の切断方法は、集塵装置付きの自動切断機を用いて屋外の還元屑置場で切断する方法である。第２の切断方法は、屋外に置かれている還元屑を建屋内に移動した後、人手によりガス切断する方法である。
【０００４】
上記の第１の切断方法は、鋼種ごとに還元屑を切断するため、主として製鋼の主要な鋼種である大口の鋼種の還元屑が殆どで自動切断機を用いて切断する。しかし、この第１の切断方法で自動切断機を用いるとき、小口の鋼種の還元屑である場合には、生産性が悪化する。そこで、還元屑の発生量の少ない特殊の鋼種からなる小口の鋼種の還元屑である場合には、上記の第２の切断方法の建屋内に移動して人手によるガス切断の方法で切断を実施する。
【０００５】
ところで還元屑をガス切断する場合、ガス切断による粉塵が発生し、この粉塵を集塵する必要がある。従来、このような粉塵を集塵する集塵装置としては、例えば鋳造部品の押し湯部分をガス切断する際に発生する粉塵の発生源まで、吸引フードを自在に移動し、粉塵の吸引を的確にできる集塵用フードが提案されている（例えば、特許文献１参照。）。この集塵用フードは、多段伸縮式の水平ダクトを索条で収縮および伸長し、吸引フードを粉塵の発生源に向けて粉塵を吸引する装置である。しかし、この装置では、吸引フードを移動する範囲が水平方向に限られており、水平方向以外の場所へ自在に移動できない問題点がある。
【先行技術文献】
【特許文献】
【０００６】
【特許文献１】実開平７−４１３３８号公報
【発明の概要】
【発明が解決しようとする課題】
【０００７】
本発明が解決しようとする課題は、屋外に広範囲に並べられた還元屑の場所に、集塵フードを容易に移動して、この集塵フードの中で切断作業を行いうるものとし、さらに、この集塵フードに伸縮及び移動自在な集塵ダクトを配設し、集塵フードの移動範囲を自在として作業環境を良好に保ち得る移動式の集塵フードと還元屑の切断時に発生する粉塵を集塵装置まで移送する集塵ダクトを提供することである。
【課題を解決するための手段】
【０００８】
上記の課題を解決するための本発明の手段は、請求項１の発明では、屋外の還元屑置場で還元屑を切断する際の作業スペースを覆う集塵フードと、クレーンで吊って移動可能とした集塵フード上面に形成したクレーン吊具と、集塵フード上面の中央部に一端を取り付け他端を外部の集塵装置に取り付けて、該一端から該他端まで伸縮及び移動自在とした伸縮移動集塵ダクトからなる還元屑の切断時に発生する粉塵を吸収するための移動式の集塵フードと集塵ダクトである。
【発明の効果】
【０００９】
上記の手段としたことで、本発明の集塵フードと集塵ダクトは、鋼材の製造に伴って生成された還元屑を、再溶解するために最適長さに切断する際、広範囲にわたる粉塵の発生源となる切断場所の作業スペースに、例えば屋外の作業スペースに、容易に移動して作業スペースを覆い、作業スペースで発生する粉塵を確実に集塵して集塵装置に搬送できる。したがって、還元屑切断時の作業環境を悪化させることなく、様々な切断場所に移動して還元屑を最適長さに切断することができる。また、集塵フードの移動が伸縮移動集塵ダクトの移動と伴に容易で自在にできるので、還元屑の切断作業の効率が向上して作業能率も向上するなど、本発明は、従来にない優れた効果を奏するものである。
【図面の簡単な説明】
【００１０】
【図１】還元屑を切断する作業スペースを覆う集塵フードと伸縮及び移動自在な伸縮移動集塵ダクト４を示す図である。
【発明を実施するための形態】
【００１１】
本発明を実施するための形態について、添付図面を参照して説明する。図１に示すように、本発明の装置は集塵フード１と伸縮移動集塵ダクト４からなっている。例えば、製鋼工場などで発生した長尺屑やブルームまたは鋼塊などの還元屑を再び電気炉に装入して再溶解するために、屋外の還元屑置場６の作業スペース５で還元屑を適切な長さにガス切断する。この場合、還元屑のガス切断時に粉塵が発生するので、周囲の環境を悪化する。そこで、本発明では、集塵フード１を集塵フード上面３の４隅に設けたクレーン吊具２で吊って、還元屑を切断する作業スペース５に移動し、切断するための還元屑を覆った。ついで、集塵フード１で覆われた作業スペース５の中で、ガス切断により還元屑を切断作業するものとした。さらに、還元屑の切断中に発生した粉塵を集塵フード上面３の中央部に設けた伸縮移動集塵ダクト４によって、伸縮移動集塵ダクト４の他端に設けた集塵装置に、吸引により粉塵を除去するものとした。
【００１２】
再溶解するための還元屑は、例えば、大きさが３〜１０ｍであるので、これを電気炉に装入して再溶解するためには、ガス切断により、例えば、その大きさを約１．５ｍとする。したがって、作業スペース５に載置した還元屑を覆い、さらに作業スペース５の中で還元屑をガス切断するためには、例えば、集塵フード１の大きさは、高さ２ｍで、横３ｍで、縦６ｍで、集塵フード１は、図１に示すように、三方を壁で囲まれ、その上壁は集塵フード上面３となっており、一般構造用鋼製からなっている。伸縮移動集塵ダクト４は一般構造用鋼製からなり、適宜、移動式ジブクレーンにより移動可能に保持されている。この場合、集塵装置の集塵能力は、例えば１２０℃で３００ｍ3／ｍｉｎとしている。上記の能力の本発明の集塵フード１及び伸縮移動集塵ダクト４により、還元屑をガス切断したところ、周囲に粉塵を排出すること無く、ガス切断作業が屋外で実施できた結果、従来のように屋外から屋内にわざわざ還元屑を運び込む必要がなくなり、そのための労力が解消され、集塵フード１及び伸縮移動集塵ダクト４を屋外の切断場所に移動するのみであるので、切断準備及び切断作業の効率が、例えば、従来の約３倍になった。
【符号の説明】
【００１３】
１  集塵フード
２  クレーン吊具
３  集塵フード上面
４  伸縮移動集塵ダクト
５  作業スペース
６  屋外の還元屑置場
【図１】
2011021800.tif 000003